(57)【要約】【課題】  受信する電波の指向性が良く、常に一定の受信性能を確保できる携帯端末機を提供する。【解決手段】  長方形の端末機本体２と、この端末機本体２の外周に対応するループ形状のアンテナ部材３とを備え、このアンテナ部材３を端末機本体２の一端部２ａに所定の負荷をもって回動可能に取り付けた。従って、端末機本体２の一端部２ａを中心にアンテナ部材３を回動させて、端末機本体２に対するアンテナ部材３の向きを変えることができ、これにより受信する電波の指向性を高めることができるほか、アンテナ部材３が端末機本体２の外周に対応するループ形状に形成されているので、常に一定の受信性能を確保することができる。この場合、アンテナ部材３を端末機本体２の外周に密着させることにより、機器全体をコンパクトにすることができる。また、アンテナ部材３をスタンドして使用できるので、卓上に立て掛けて使用することができる【選択図】        図１
2007266857.tif 000002
【特許請求の範囲】
【請求項１】
少なくとも受信回路および記憶部を内蔵した端末機本体と、この端末機本体の外周に対応するループ形状のアンテナ部材とを備え、
前記アンテナ部材が前記端末機本体の一端部に所定の負荷をもって回動可能に取り付けられていることを特徴とする携帯端末機。
【請求項２】
前記アンテナ部材は、前記端末機本体の外周に対応するループ形状に形成された合成樹脂製の保護パイプと、この保護パイプ内に連続して収納されたアンテナ線とを備えていることを特徴とする請求項１に記載の携帯端末機。
【請求項３】
前記端末機本体に着脱可能に取り付けられて前記端末機本体と電気的に接続され、且つ外部機器と電気的に接続される中継器を備えていることを特徴とする請求項１または２に記載の携帯端末機。
【請求項４】
前記中継器は、前記端末機本体に対し所定角度傾いた状態で、前記アンテナ部材と反対側に位置する前記端末機本体の他端部に、前記中継器の一端部が着脱可能に取り付けられて前記端末機本体と電気的に接続され、前記中継器の他端部に前記アンテナ部材の自由端を係脱可能に係止する係止部が設けられていることを特徴とする請求項３に記載の携帯端末機。
【発明の詳細な説明】
【技術分野】
【０００１】
この発明は、携帯電話機や受信機能を備えた携帯型の記録再生装置などの携帯端末機に関する。
【背景技術】
【０００２】
従来、携帯電話機などの携帯端末機においては、特許文献１に記載されているように、端末機本体の一端部にアンテナ収納部を設け、このアンテナ収納部にフレキシブルなアンテナを巻取り可能に収納し、使用するとき、アンテナ収納部からアンテナを引出し、このアンテナの先端部を端末機本体の他端部に設けられた固定部に固定することにより、アンテナをループ状に形成するように構成したものがある。
【特許文献１】特開２００１−１８９６１４号
【発明の開示】
【発明が解決しようとする課題】
【０００３】
しかしながら、このような従来の携帯端末機では、使用するときに、ループ状のアンテナに手の指や、衣服のベルト、バッグのベルトや握り部などを通して携帯端末機を保持して携帯するはできるが、アンテナがフレキシブルに形成されているため、アンテナ収納部から引出されたアンテナをループ状に形成しても、常に一定のループ状を維持することが難しく、このため常に一定の受信性能を確保することができないばかりか、端末機本体に対するアンテナの向きを自由に変えることができないため、受信する電波の指向性を十分に確保することが難しいなどの問題がある。
【０００４】
この発明が解決しようとする課題は、受信する電波の指向性が良く、常に一定の受信性能を確保することができる携帯端末機を提供することである。
【課題を解決するための手段】
【０００５】
この発明は、上記課題を解決するために、次のような構成要素を備えている。
なお、各構成要素には、後述する実施形態の項で説明される各要素に付されている図面の参照番号などを括弧と共に付す。
【０００６】
請求項１に記載の発明は、図１〜図９に示すように、少なくとも受信回路（２１）および記憶部（２２）を内蔵した端末機本体（２）と、この端末機本体の外周に対応するループ形状のアンテナ部材（３）とを備え、このアンテナ部材が前記端末機本体の一端部（２ａ）に所定の負荷をもって回動可能に取り付けられていることを特徴とする携帯端末機である。
【０００７】
請求項２に記載の発明は、図１〜図９に示すように、前記アンテナ部材（３）が、前記端末機本体（２）の外周に対応するループ形状に形成された合成樹脂製の保護パイプ（１２）と、この保護パイプ内に連続して収納されたアンテナ線（１３）とを備えていることを特徴とする請求項１に記載の携帯端末機である。
【０００８】
請求項３に記載の発明は、図１〜図９に示すように、前記端末機本体（２）に着脱可能に取り付けられて前記端末機本体と電気的に接続され、且つ外部機器（１９）と電気的に接続される中継器（１５）を備えていることを特徴とする請求項１または２に記載の携帯端末機である。
【０００９】
請求項４に記載の発明は、図１〜図９に示すように、前記中継器（１５）は、前記端末機本体（２）に対し所定角度傾いた状態で、前記アンテナ部材（３）と反対側に位置する前記端末機本体の他端部（２ｂ）に、前記中継器の一端部（１５ａ）が着脱可能に取り付けられて前記端末機本体と電気的に接続され、前記中継器の他端部（１５ｂ）に前記アンテナ部材の自由端を係脱可能に係止する係止部（１６）が設けられていることを特徴とする請求項３に記載の携帯端末機である。
【発明の効果】
【００１０】
請求項１に記載の発明によれば、少なくとも受信回路および記憶部を内蔵した端末機本体と、この端末機本体の外周に対応するループ形状のアンテナ部材とを備え、このアンテナ部材が端末機本体の一端部に所定の負荷をもって回動可能に取り付けられているので、端末機本体の一端部を中心にアンテナ部材を回動させることにより、端末機本体に対するアンテナ部材の向きを変えることができ、これにより受信する電波の指向性を高めることができるほか、アンテナ部材が端末機本体の外周に対応するループ形状に形成されていることにより、常に一定の受信性能を確保することができる。
【００１１】
この場合、特に端末機本体の一端部を中心にアンテナ部材を回動させて閉じると、アンテナ部材を端末機本体の外周に密着させることができ、これにより機器全体をコンパクトにすることができる。また、端末機本体の一端部を中心にアンテナ部材を回動させて開くことにより、アンテナ部材を所定の負荷をもって端末機本体に対し任意の角度に開くことができる。このため、アンテナ部材が端末機本体に対して勝手に回動することがないので、アンテナ部材をスタンドして使用することができ、これにより卓上に端末機本体を任意の角度に傾けて立て掛けて使用することができる。
【００１２】
請求項２に記載の発明によれば、アンテナ部材が、端末機本体の外周に対応するループ形状に形成された合成樹脂製の保護パイプと、この保護パイプ内に連続して収納されたアンテナ線とを備えていることにより、合成樹脂製の保護パイプによってアンテナ線を保護することができるので、アンテナ線を常に一定のループ形状に保つことができ、これにより常に一定の受信性能を確保することができるほか、特に保護パイプ内にアンテナ線を複数巻きのコイル状に連続させて収納することができる。このため、アンテナ部材全体を小さく形成しても、アンテナ線を十分に長く形成することができるので、波長の長い電波を感度良く受信することができる。
【００１３】
請求項３に記載の発明によれば、端末機本体に着脱可能に取り付けられて端末機本体と電気的に接続され、且つ外部機器と電気的に接続される中継器を備えていることにより、この中継器を介して端末機本体と外部機器とを電気的に接続することができるので、端末機本体と外部機器との間でデータの授受ができ、これによりデータの管理および整理が容易にでき、使い勝手の良いものを得ることができる。
【００１４】
請求項４に記載の発明によれば、中継器は、端末機本体に対し所定角度傾いた状態で、アンテナ部材と反対側に位置する端末機本体の他端部に、中継器の一端部が着脱可能に取り付けられて端末機本体と電気的に接続され、この中継器の他端部にアンテナ部材の自由端を係脱可能に係止する係止部が設けられていることにより、端末機本体の他端部に中継器の一端部を取り付け、この状態で中継器の他端部に設けられた係止部でアンテナ部材の自由端を係止することができるので、端末機本体、中継器、およびアンテナ部材の全体を三角形状に形成することができ、これにより安定した状態で卓上に配置することができ、これによっても使い勝手の良いものを得ることができる。
【発明を実施するための最良の形態】
【００１５】
以下、図１〜図９を参照して、この発明の携帯端末機の一実施形態について説明する。
図１はこの発明の携帯端末機の正面図、図２は図１のアンテナ部材を開いた状態の正面図、図３は図２の側面図、図４は図２の裏面図である。
この携帯端末機１は、電波を受信してその受信した電波情報を記憶すると共に、記憶したデータを再生する受信機能付き記録再生装置であり、長方形状の端末機本体２と、この端末機本体２の外周に対応するループ形状のアンテナ部材３とを備え、このアンテナ部材３が端末機本体２の一端部２ａ（図２では左端部）に所定の負荷をもって回動可能に取り付けられた構成になっている。
【００１６】
この場合、端末機本体２の正面には、図１および図２に示すように、表示部４とスイッチ部５とが設けられている。表示部４は、液晶表示装置やＥＬ（エレクトロル・ミネッセンス）表示装置などの平面型の表示装置からなり、受信周波数（例えば１８０.０ＭＨｚ）や記憶残量（例えば棒グラフ）、記憶領域（例えばエリア１〜６）などの各種の情報を電気光学的に表示するように構成されている。スイッチ部５は、中央部に押釦６が設けられ、その周囲にカーソルキー７が設けられ、これらを操作することにより記録・再生モードなどの各種のモードや、受信周波数および記憶領域を選択するように構成されている。
【００１７】
また、この端末機本体２の他端部には、図３に示すように、アンテナ部材３の自由端３ａを係脱可能に係止する係合部８が設けられていると共に、この係合部８の近傍には、図４に示すように、端末コネクタ９が設けられている。この端末コネクタ９は、雌型の例えばＵＳＢコネクタである。また、この端末機本体２の側面には、図３に示すように、イヤホンジャック１０が設けられており、端末機本体２の裏面には、図４に示すように、端末機本体２内に収納された充電池（図示せず）を覆う電池蓋１１が開閉可能に取り付けられている。
【００１８】
一方、アンテナ部材３は、図１〜図４に示すように、端末機本体２の外周に対応するループ形状に形成された合成樹脂製の保護パイプ１２と、この保護パイプ１２内に複数巻きのコイル状に連続して収納されたアンテナ線１３とを備え、保護パイプ１２が端末機本体２の一端部２ａに所定の負荷をもって回動可能に取り付けられ、この状態で保護パイプ１２内のアンテナ線１３で電波を受信するように構成されている。
【００１９】
すなわち、このアンテナ部材３は、端末機本体２の一端部２ａを中心に回動して閉じたときに、図１に示すように、端末機本体２の外周に密着すると共に、アンテナ部材３の自由端３ａが端末機本体２の他端部２ｂの係合部８に係脱可能に係止され、また端末機本体２の一端部２ａを中心に回動して開いたときに、図２〜図４に示すように、任意の角度に開くように構成されている。この場合、アンテナ部材３は、自由端３ａと反対側に位置する一端部と端末機本体２の一端部２ａとに一定の摩擦力が加わった状態で回動可能に取り付けられ、この状態で摩擦力に抗して回動させることにより、端末機本体２に対して勝手に回動しないように任意の角度で端末機本体２に保持されるように構成されている。
【００２０】
また、この携帯端末機１は、図５および図６に示すように、パーソナルコンピュータなどの外部機器１９（図７参照）と電気的に接続するための中継器１５を備えている。この中継器１５は、端末機本体２とほぼ同じサイズの大きさの長方形状に形成され、その一端部１５ａが、端末機本体２に対し所定角度、例えば６０度の角度で傾いた状態で、端末機本体２の他端部２ｂに着脱可能に取り付けられ、その他端部１５ｂにアンテナ部材３の自由端３ａを係脱可能に係止する係止部１６が設けられた構成になっている。
【００２１】
この場合、中継器１５の一端部１５ａ側には、図５および図６に示すように、端末機本体２と電気的に接続するための第１コネクタ１７が突出して設けられている。この第１コネクタ１７は、雄型の例えばＵＳＢコネクタであり、端末本体２の他端部２ｂに設けられた雌型の端末コネクタ９に接続されるように構成されている。また、この中継器１５の側面には、図６に示すように、第２コネクタ１８が設けられている。この第２コネクタ１８は、雌型の例えばＵＳＢコネクタであり、接続ケーブル（図示せず）によってパーソナルコンピュータなどの外部機器１９（図７参照）と電気的に接続されるように構成されている。
【００２２】
次に、この携帯端末機１の回路構成について、図７のブロック図を参照して説明する。
この携帯端末機１の回路は、その回路全般を制御するＣＰＵ（中央演算処理装置）２０と、各種のモードを選択すると共に受信周波数および記憶領域を選択するスイッチ部５、アンテナ部材３で受信した電波を電気信号として取り込む受信回路２１と、この受信回路２１で取り込んだ電波情報および外部機器１９から取り込んだ情報を記憶する記憶部２２と、時刻を計測する時計回路２３と、受信回路２１で受信する電波の周波数や記憶部２２の記憶残量などを表示する表示部４と、中継機１５が接続されて外部機器１９との間で情報の授受をするためのる端末コネクタ９と、記憶部２２に記憶された情報のうちの楽音情報をイヤホン２４に送るためのイヤホンジャック１０とを備えている。
【００２３】
ＣＰＵ２０は、スイッチ部５をスイッチ操作しないときに、時計回路２３からの時刻情報に基づいて表示部４に現在時刻を表示する。また、スイッチ部５がスイッチ操作されてラジオ電波を受信して録音する録音モードが選択されると、表示部４に受信する周波数を表示すると共に、スイッチ部５のスイッチ操作によって指定された記憶部２２の記憶領域（例えばエリア５）を表示し、この状態でアンテナ部材３が受信したラジオ電波を受信回路２１で楽音などの音声データの電気信号として取り込み、この取り込んだ楽音などの音楽データを記憶部２２の指定された記憶領域に記憶すると共に、表示部４に記憶部２２の記憶残量を棒グラフで表示する。
【００２４】
また、このＣＰＵ２０は、スイッチ部５がスイッチ操作されて再生モードが選択されると、指定された記憶部２２の記憶領域から音楽などの楽音データを読み出してイヤホンジャック１０に接続されたイヤホン２４から音楽などの楽音を出力する。さらに、このＣＰＵ２０は、端末機本体２の端末コネクタ９に中継器１５の第１コネクタ１７が接続され、この中継器１５の第２コネクタ１８にパーソナルコンピュータなどの外部機器１９が接続された状態で、スイッチ部５がスイッチ操作されて送信モードが選択されると、記憶部２２に格納されたデータを外部機器１９に送信したり、また外部機器１９のデータを取り込んで記憶部２２に記憶したりする。
【００２５】
このように、この携帯端末機１によれば、長方形の端末機本体２と、この端末機本体２の外周に対応するループ形状のアンテナ部材３とを備え、このアンテナ部材３が端末機本体２の一端部２ａに所定の負荷をもって回動可能に取り付けられているので、端末機本体２の一端部２ａを中心にアンテナ部材３を回動させることにより、端末機本体２に対するアンテナ部材３の向きを変えることができ、これにより受信する電波の指向性を高めることができるほか、アンテナ部材３が端末機本体２の外周に対応するループ形状に形成されていることにより、常に一定の受信性能を確保することができる。
【００２６】
この場合、特に端末機本体２の一端部２ａを中心にアンテナ部材３を回動させて閉じると、アンテナ部材３を端末機本体２の外周に密着させることができ、これにより機器全体をコンパクトにすることができる。また、端末機本体２の一端部２ａを中心にアンテナ部材３を回動させて開くことにより、アンテナ部材３を所定の負荷をもって端末機本体２に対し任意の角度に開くことができる。このため、アンテナ部材３が端末機本体２に対して勝手に回動することがないので、アンテナ部材３をスタンドして使用することができ、これにより、図８に示すように、卓上に端末機本体２を任意の角度に傾けて立て掛けて使用することができる。
【００２７】
また、アンテナ部材３が、端末機本体２の外周に対応するループ形状に形成された合成樹脂製の保護パイプ１２と、この保護パイプ１２内に連続して収納されたアンテナ線１３とを備えていることにより、合成樹脂製の保護パイプ１２によってアンテナ線１３を保護することができるので、アンテナ線１３を常に一定のループ形状に保つことができ、これにより常に一定の受信性能を確保することができるほか、特に保護パイプ１２内にアンテナ線１３を複数巻きのコイル状に連続させて収納することができる。このため、アンテナ部材３全体を小さく形成しても、アンテナ線１３を十分に長く形成することができるので、波長の長い電波を感度良く受信することができる。
【００２８】
特に、端末機本体２には、外部機器１９と電気的に接続するための中継器１５が着脱可能に取り付けられて端末機本体２と電気的に接続されることにより、この中継器１５を介して端末機本体２と外部機器１９とを電気的に接続することができるので、端末機本体２と外部機器１９との間でデータの授受ができ、これによりデータの管理および整理が容易に且つ良好にできると共に、外部機器１９から電力の供給を受けて端末機本体２の充電池（図示せず）を充電することもできるので、使い勝手の良いものを得ることができる。
【００２９】
この場合、中継器１５は、端末機本体２に対し所定角度傾いた状態で、端末機本体２の他端部２ｂに、中継器１５の一端部１５ａが着脱可能に取り付けられて端末機本体２と電気的に接続され、この中継器１５の他端部１５ｂにアンテナ部材３の自由端３ａを係脱可能に係止する係止部１６が設けられているので、端末機本体２の他端部２ｂに中継器１５の一端部１５ａを取り付け、この状態で中継器１５の他端部１５ｂに設けられた係止部１６でアンテナ部材３の自由端３ａを係止することができる。これにより、図９に示すように、端末機本体２、アンテナ部材３、および中継器１５の全体を三角形状に形成することができるので、安定した状態で卓上に配置することができ、これによっても使い勝手の良いものを得ることができる。
【００３０】
なお、上記実施形態では、携帯型の記録再生装置に適用した場合について述べたが、必ずしも記録再生装置である必要はなく、携帯電話機や、モバイルなどのＰＤＡ（パーソナル・デジタル・アシスタント）に広く適用することができる。
【図面の簡単な説明】
【００３１】
【図１】この発明を適用した携帯端末機を示した正面図である。
【図２】図１のアンテナ部材をほぼ１８０度開いた状態の正面図である。
【図３】図２の側面図である。
【図４】図２の裏面図である。
【図５】図１の携帯端末機に接続される中継器の正面図である。
【図６】図５の中継器の側面図である。
【図７】図１の携帯端末機の回路構成を示したブロック図である。
【図８】図１の携帯端末機を卓上に立て掛けた状態を示した側面図である。
【図９】図１の携帯端末機に中継器を接続して卓上に立て掛けた状態を示した側面図である。
【符号の説明】
【００３２】
１  携帯端末機
２  端末機本体
３  アンテナ部材
４  表示部
５  スイッチ部
９  端末コネクタ
１０  イヤホンジャック
１２  保護パイプ
１３  アンテナ線
１５  中継器
１６  係止部
１７、１８  第１、第２コネクタ
１９  外部機器
２０  ＣＰＵ
２１  受信回路
２２  記憶部
【図１】
2007266857.tif 000003
【図２】
2007266857.tif 000004
【図３】
2007266857.tif 000005
【図４】
2007266857.tif 000006
【図５】
2007266857.tif 000007
【図６】
2007266857.tif 000008
【図７】
2007266857.tif 000009
【図８】
2007266857.tif 000010
【図９】
2007266857.tif 000011